(57)【要約】【課題】  ロールペーパーを綺麗に、しかも安全、確実に切断、及び引き出しできるようにすると共に、カバーの前端からロールペーパーの引き出し部分を垂らし、紙の引き出しを容易化できるようにする。【解決手段】  カバー３を平板状に形成すると共に、後部の枢着個所を介して前後方向に起伏動作自在に本体部２に設ける。このカバー３の下側に、カバー３の前端３ｃを支持すると共に、ロールペーパー１の引き出し部分１ａを載せる支持部材６を設ける。またカバー３に、常時はカバー３内に納め、使用時にカバー３の前端３ｃから突き出して前方に配置するペーパー切断用のカッター８を、前後方向にスライド自在に設ける。【選択図】      図１
2006087662.tif 000002
【特許請求の範囲】
【請求項１】
ロールペーパーが芯を横にして収納される本体部と、この本体部の上面を塞ぐカバーとを備えて形成されているロールペーパーホルダーであって、上記のカバーが平板状に形成されると共に、後部の枢着個所を介して前後方向に起伏動作自在に本体部に設けられ、このカバーの下側に、カバーの前端を支持すると共に、ロールペーパーの引き出し部分が載せられる支持部材が設けられ、またカバーに、常時はカバー内に納められ、使用時にカバーの前端から突き出されて前方に配置されるペーパー切断用のカッターが前後方向にスライド自在に設けられていることを特徴とするロールペーパーホルダー。
【請求項２】
請求項１記載のロールペーパーホルダーであって、カバーの前端から突き出されて前方に配置されたペーパー切断用のカッターを、カバー内に自動復帰させる牽引部材を、カバーが備えて形成されていることを特徴とするロールペーパーホルダー。
【請求項３】
請求項２記載のロールペーパーホルダーであって、カバーの上側に、カッターをスライドさせるための摘みが立ち上げられ、牽引部材がカバーの前後方向に沿って伸縮する平行一対状のコイルスプリングで構成されていることを特徴とするロールペーパーホルダー。
【請求項４】
請求項１乃至３の何れかに記載のロールペーパーホルダーであって、支持部材が、後部の枢着個所を介して前後方向に起伏動作自在に本体部に設けられると共に、ロールペーパーの引き出し部分を周面に載せて前方に案内するローラを、ロールペーパーの軸芯方向に沿って水平に備えて形成され、本体部の両側壁の前側上部内面の対向位置に、支持部材を倒伏時に係止するストッパーが設けられていることを特徴とするロールペーパーホルダー。
【発明の詳細な説明】
【技術分野】
【０００１】
本発明はトイレットペーパー等のロール形ペーパーを保持するためのロールペーパーホルダーに関し、更に詳しくは紙を引き出し易くなるよう形成したロールペーパーホルダーに関するものである。
【背景技術】
【０００２】
従来この種のホルダーは、ロールペーパーの引き出し部分をカバーの前端で切ると、引き出し端がカバーの前端に沿って配置されるのが通例であった。従ってこの状態では、紙を引き出し難いため、従来は、一旦、カバーを開いてから、引き出し端を摘まんで引き出したり、或いはロールペーパーの周面に手指をかけてロールペーパーを回し、引き出し端を前方に送り出してから引き出すようにしていた。また従来、この種のホルダーを使用する場合は、引き出し端を三角に折ってカバーの前端から露出させ、次の人が引き出し易くなるような心遣いをすることもあった。
而してこのような不便を解消する従来品としては、例えばロールペーパーが芯を横にして収納される本体部と、この本体部の上面を塞ぐカバーとを備え、このカバーの前端の一端寄りに、紙の切取りに使用する突起を設けているものがある（例えば特許文献１参照）。
【０００３】
この従来品は、カバーに設けた突起を利用し、ロールペーパーの端を切り残して露出させるものである。しかしながらこれによると、突起で紙の端を切断するため、この個所で紙が細長く引かれて綺麗に切れなかっただけではなく、切り残した部分を持って引き出すと、この部分が紙の端のため、力が全体にバランス良く伝わらず、摘まむ部分だけが切れてしまう、という問題があった。
また従来、例えばカバーの前端に鋸歯状の刃を形成し、この刃を利用して紙を切断することも知られているが、この場合は、紙を綺麗に切ることができても、露出している刃によって思わぬ怪我をすることがあった。
【特許文献１】特開平７−３１３３９６号公報
【発明の開示】
【発明が解決しようとする課題】
【０００４】
本発明は、このような従来技術の問題点に鑑み、提案されたものである。
従って本発明の解決しようとする技術的課題は、ロールペーパーを綺麗に、しかも安全、確実に切断、及び引き出しできるようにすると共に、カバーの前端からロールペーパーの引き出し部分を垂らし、紙の引き出しを容易化できるよう形成したロールペーパーホルダーを提供することにある。
【課題を解決するための手段】
【０００５】
本発明は、上記の課題を解決するため、次のような技術的手段を採る。
即ち本発明は、図１等に示されるように、ロールペーパー１が芯を横にして収納される本体部２と、この本体部２の上面を塞ぐカバー３とを備えて形成されているロールペーパーホルダーであって、上記のカバー３が平板状に形成されると共に、後部の枢着個所を介して前後方向に起伏動作自在に本体部２に設けられ、このカバー３の下側に、カバー３の前端３ｃを支持すると共に、ロールペーパー１の引き出し部分１ａが載せられる支持部材６が設けられ、またカバー３に、常時はカバー３内に納められ、使用時にカバー３の前端３ｃから突き出されて前方に配置されるペーパー切断用のカッター８が前後方向にスライド自在に設けられていることを特徴とする（請求項１）。
【０００６】
本発明の場合、ロールペーパー１は、芯に支持棒４（図３参照）が通されて本体部２に回転可能に収納されるのでも、或いは支持棒４を省略し、本体部２内に転動可能に収納されるのでも良い。カバー３は、平板状であれば、水平でも多少傾斜状に設けられているのでも良い。
【０００７】
而して本発明は、カバー３の前端３ｃから突き出されて前方に配置されたペーパー切断用のカッター８を、カバー３内に自動復帰させる牽引部材１０を、カバー３が備えて形成されているのが好ましい（請求項２）。
なぜならこれによると、紙を切断後、カッター８を一々後方に押し戻す手間暇を一掃でき、使い勝手が良くなるからである。牽引部材１０としては、例えばコイルスプリングやゴム紐等がある。
【０００８】
また請求項２記載の本発明の場合は、カバー３の上側に、カッター８をスライドさせるための摘み９が立ち上げられ、牽引部材１０がカバー３の前後方向に沿って伸縮する平行一対状のコイルスプリングで構成されているのが好ましい（請求項３）。
なぜならこれによると、摘み９を、例えばカバー３の横側に設ける場合に比べ、カッター８の操作が容易になるからである。またこの場合は、平行一対状のコイルスプリングにより、バランス良く安定した状態でカッター８をスライドさせることができ、しかもゴム紐等に比べ、耐久性が良いことからである。
【０００９】
また請求項１乃至３の何れかに記載の本発明品は、支持部材６が、後部の枢着個所を介して前後方向に起伏動作自在に本体部２に設けられると共に、ロールペーパー１の引き出し部分１ａを周面に載せて前方に案内するローラ６ｃを、ロールペーパー１の軸芯方向に沿って水平に備えて形成され、本体部２の両側壁２ａの前側上部内面の対向位置に、支持部材６を倒伏時に係止するストッパー７が設けられているのが好ましい（請求項４）。
なぜならこれによると、支持部材６を後方に起こしてロールペーパー１を本体部２にセットできるため、ロールペーパー１のセット作業を容易化でき、またローラ６ｃの作用でロールペーパー１を円滑に引き出しでき、更には支持部材６がストッパー７で係止されるため、ロールペーパー１に支持部材６の荷重をかけることなく、楽に紙を引き出すことができるからである。
【発明の効果】
【００１０】
本発明は、このようにカバーとは別の専用のカッターを備え、しかもこのカッターの刃先を、常時は露出しないよう構成しているものである。従ってこれによると、紙の引き出し部分を、綺麗に且つ確実に、切断、引き出しでき、また従来の、カバーの前端に形成した鋸歯状の刃で切断するものに比べ、安全に紙を切断できる。
また本発明品は、カバーの前方に配置するカッターで、ロールペーパーの引き出し部分を切断し、切断後の紙を、引き出したカッターの引き出し寸法の長さだけ、支持部材から垂れ下がるよう構成しているものである。従ってこれによると、次の人はこの引き出し部分を摘まんで簡単、容易に紙を引き出すことができる。
【発明を実施するための最良の形態】
【００１１】
以下、本発明を実施するための最良の形態を説明する。
本発明は、図１等に示されるように、ロールペーパー１が芯を横にして収納される本体部２と、この本体部２の上面を塞ぐカバー３とを備えて形成されている。ロールペーパー１は、この実施形態では本体部２に支持棒４（図３参照）で回転可能に支持されている。支持棒４は、図３に示されるように、枢着軸５を中心に上下方向に９０度回動し、ロールペーパー１を下方から本体部２内に入れると支持棒４が押されて上方に回動し、本体部２の側壁２ａ内に一旦収まり、支持棒４の先端がロールペーパー１の中空円筒状の芯の端面に合致すると下方へ復元して芯内に入り込み、これによりロールペーパー１を支持するよう形成されている。
【００１２】
上記のカバー３は、図２、図５等に示されるように、この実施形態では上板３ａと下板３ｂが層状の空間をあけて配置され、平板状に形成されている。またこのカバー３は、後部の枢着個所を介して前後方向に起伏動作自在に本体部２に設けられている。カバー３は、この本体部２の上面に水平に配置されている。
【００１３】
６（図２、図５等参照）は、カバー３の前端３ｃを支持すると共に、ロールペーパー１の引き出し部分１ａが載せられる支持部材である。この支持部材６は、カバー３の下側に設けられ、左右一対の支持腕６ａと、この支持腕６ａの前側に横に架け渡されている長板６ｂと、この長板６ｂから所定の間隔をあけてその後側に、ロールペーパー１の軸芯方向に沿って水平に、上記の支持腕６ａに横架されているローラ６ｃとを備えて形成されている。またこの支持部材６は、支持腕６ａの後部が本体部２に枢着され、この枢着個所を介して前後方向に起伏動作自在に本体部２に設けられている。ローラ６ｃは、ロールペーパー１の引き出し部分１ａを周面に載せて前方に案内するものである。７は、支持部材６を、その倒伏時に係止するストッパーである。このストッパー７は、本体部２の両側壁２ａの前側上部内面の対向位置に突起状に設けられている。
【００１４】
８は、常時はカバー３内に納められ、使用時にカバー３の前端３ｃから突き出されて前方に配置されるペーパー切断用のカッターである。このカッター８は、先端８ａが鋸歯状に形成されている。またこのカッター８は、この実施形態では平板状に形成されてカバー３の層状の空間に収納され、カバー３に、前後方向にスライド自在に設けられている。９は、カッター８をスライドさせるため、カバー３の上側に立ち上げられている摘みである。この摘み９は、縦軸９ａを介してカッター８に連結され、縦軸９ａは、カバー３の上板３ａに形成されているスリット３ｄに通されている。スリット３ｄは、カバー３の前後方向に延びて形成されている。カッター８は、摘み９が手前に引かれて縦軸９ａがスリット３ｄの前端に衝止すると、カバー３の前端３ｃから所定の長さＤ（図８等参照）だけ先端８ａが突き出されるよう形成されている。９ｂは、摘み９に固定され、摘み９を前後方向に移動すると、一緒にカバー３の上面をスライドするベース部である。このベース部９ｂは、方形の厚板状に形成されると共に、下面に、溝状の収納部９ｃ（図４等参照）が前後方向に延びて平行一対状に形成されている。
【００１５】
１０は、カバー３の前端３ｃから突き出されて前方に配置されたペーパー切断用のカッター８を、カバー３内に自動復帰させる牽引部材である。この牽引部材１０は、この実施形態ではカバー３の前後方向に沿って伸縮する平行一対状のコイルスプリングで構成されている。この各コイルスプリングは、上記の収納部９ｃに収納され、前端が収納部９ｃの前側内壁に固定され、後端はカバー３の上板３ａに設けられている突起３ｅに固定されている。突起３ｅは、図５、図１１等に示されるように、この実施形態ではカッター８がカバー３内に収納されているとき、縦軸９ａの両側にあたるカバー３の上面位置に固定されている。
【００１６】
次に本発明のロールペーパーホルダーの作用を説明する。
先ず使用者は、カバー３を開き（図２、図６参照）、ロールペーパー１を本体部２に下から入れて支持棒４に支持させた後、図２、図７等に示されるように、ロールペーパー１の引き出し部分１ａをローラ６ｃの周面、及び支持部材６の前側の長板６ｂに載せる。そして使用者は、カバー３を前方に回動して倒伏させる。これによりロールペーパー１の引き出し部分１ａは、カバー３の荷重が支持部材６の長板６ｂにかかり、カバー３と長板６ｂとで挟み付けられる。この状態で使用者は、ロールペーパー１を任意の長さ引き出す。そして紙を切断するときは、摘み９を牽引部材１０の復元力に抗してカバー３の前方に引く。すると摘み９がベース部９ｂと一緒に前方に移動し、これに伴ってカッター８が前方にスライドする。そして摘み９の縦軸９ａが、スリット３ｄの前端に衝止すると、カバー３の前端３ｃからカッター８の先端８ａが一定の長さＤだけ突き出される（図８〜図１０等参照）。
【００１７】
この状態で使用者は、図１、図８に示されるように、ロールペーパー１の引き出し部分１ａを上に引き、カッター８の先端８ａでロールペーパー１の引き出し部分１ａを切る。この場合、ロールペーパー１の引き出し部分１ａは、長板６ｂとカバー３とで挟み付けられているから、本発明の場合、ロールペーパー１を無闇に引き出すことはない。そして使用者は、紙を切り終わったら、手指を摘み９から離す。すると牽引部材１０の復元力で、摘み９、ベース部９ｂ、カッター８が一緒に、カバー３の後方にスライドして後退し、カッター８の先端８ａを含め、カッター８がカバー３内に収納される（図１１、図１２等参照）。
【００１８】
そして切断されて残されたロールペーパー１の引き出し部分１ａは、図８等に示されるように、カッター８の先端８ａの突出し距離に応じた長さＤだけ、カバー３の前端３ｃから垂れ下がって配置される。従って次にロールペーパー１を引き出す場合は、この垂れ下がっている引き出し部分１ａを摘むことで、簡単に引き出すことができる。
【図面の簡単な説明】
【００１９】
【図１】本発明のロールペーパーホルダーの好適な一実施形態を示す使用状態時の斜視図である。
【図２】同上ホルダーのカバーを開いた状態の斜視図である。
【図３】同上ホルダーの正面図である。
【図４】同上ホルダーの壁取付時の平面図である。
【図５】図４のＶ―Ｖ線における断面図である。
【図６】同上ホルダーの作用を説明するための要部側面図である。
【図７】同上ホルダーの作用を説明するための要部側面図である。
【図８】同上ホルダーの作用を説明するための要部側面図である。
【図９】同上ホルダーの作用を説明するための一部を切欠した要部側面図である。
【図１０】図９の状態の一部を切欠した要部平面図である。
【図１１】同上ホルダーの作用を説明するための一部を切欠した要部側面図である。
【図１２】図１１の状態の一部を切欠した要部平面図である。
【符号の説明】
【００２０】
１      ロールペーパー
１ａ    引き出し部分
２      本体部
３      カバー
３ｃ    前端
６      支持部材
８      カッター
【図１】
2006087662.tif 000003
【図２】
2006087662.tif 000004
【図３】
2006087662.tif 000005
【図４】
2006087662.tif 000006
【図５】
2006087662.tif 000007
【図６】
2006087662.tif 000008
【図７】
2006087662.tif 000009
【図８】
2006087662.tif 000010
【図９】
2006087662.tif 000011
【図１０】
2006087662.tif 000012
【図１１】
2006087662.tif 000013
【図１２】
2006087662.tif 000014